(57)【特許請求の範囲】
【請求項１】
略矩形状筐体の前面に表示画面が配置されているとともに背面の長手方向における一端側短辺近傍にカメラレンズが配置されている携帯通信端末機器に装着される携帯通信端末機器ケースであって、
前記携帯通信端末機器の背面に装着されるケース本体と、前記ケース本体の外面に設けられて使用者が片手の手の平により包持可能な持ち手形状に構成されている支持部とを有し、
前記ケース本体は、装着される前記携帯通信端末機器の前記カメラレンズに対応する位置に開口部を有し、
前記支持部は、
前記ケース本体の外面に対して垂直な軸周りに当該支持部を所定の角度毎に回転可能とする第一の回転部と、
前記第一の回転部と一体的に構成され、前記持ち手形状の一部を構成する第一の板片部と、
前記第一の板片部の一端において前記ケース本体の外面に対して平行な軸周りに所定の角度毎に回転可能とする第二の回転部と、
前記第二の回転部を介して前記第一の板片部の一端に連結される第二の板片部と、を有し、
前記第一の回転部の回転軸中心は、前記カメラレンズに対応する開口部が形成されていない長手方向の他端側短辺に近接し、かつ当該短辺の中央位置より隅角方向のいずれかに片寄って配置されている、携帯通信端末機器ケース。
【請求項２】
前記第一の回転部を回転させて、前記第二の回転部の回転軸がケース本体の長辺または短辺と平行となる位置にした場合、前記第二の回転部の回転軸は、ケース本体の長辺または短辺のそれぞれとほぼ重なる位置に配置されている、請求項１に記載の携帯通信端末機器ケース。
【請求項３】
前記第一の回転部の回転軸中心は、前記ケース本体の長手方向の他端側短辺を五等分した場合において、この短辺のいずれかの隅角から五分の二の範囲内に配置されている、請求項１または請求項２に記載の携帯通信端末機器ケース。
【請求項４】
前記第一の回転部の回転軸中心は、前記ケース本体の長手方向の他端側短辺を５：８に分けた場合の境界位置に配置されている、請求項１または請求項２に記載の携帯通信端末機器ケース。
【請求項５】
前記カメラレンズに対応する開口部が長手方向の一端側短辺においていずれかの隅角方向に片寄って形成されている場合、前記第一の回転部の回転軸中心は、前記開口部の形成されている隅角と対角位置にある隅角方向に片寄って配置されている、請求項１から請求項４のいずれかに記載の携帯通信端末機器ケース。
【請求項６】
前記支持部は、装飾部材を取り付けるための装飾取付部を有する、請求項１から請求項５のいずれかに記載の携帯通信端末機器ケース。
【請求項７】
前記装飾取付部は、前記第一の回転部の上面に配置されているとともに、前記第一の回転部側に向けて突出された複数の取付爪を備えており、これらの取付爪に伸縮自在な素材からなる装飾部材が係止されている、請求項６に記載の携帯通信端末機器ケース。
【請求項８】
略矩形状筐体の前面に表示画面が配置されているとともに背面の長手方向における一端側短辺近傍にカメラレンズが配置されている携帯通信端末機器に装着される携帯通信端末機器ケースであって、
前記携帯通信端末機器の背面に装着されるケース本体と、前記ケース本体の外面に設けられて使用者が片手の手の平により包持可能な持ち手形状に構成されている支持部とを有し、
前記ケース本体は、装着される前記携帯通信端末機器の前記カメラレンズに対応する位置に開口部を有し、
前記支持部は、
前記ケース本体の外面に固定される固定板と、前記固定板に連結される支持板と、前記固定板と前記支持板とを連結する連結体と、を有し、
前記連結体は、前記固定板の上面に設けられた連結穴に、前記支持板の端部に設けられた略球状の連結端を摺動自在に嵌合して構成されているとともに、前記カメラレンズに対応する開口部が形成されていない長手方向の他端側短辺に近接し、かつ当該短辺の中央位置より隅角方向のいずれかに片寄って配置されている、携帯通信端末機器ケース。
【発明の詳細な説明】
【技術分野】
【０００１】
本発明は、手の平で包持可能な支持部を備えた携帯通信端末機器ケースに関する。
【背景技術】
【０００２】
従来、タブレットやスマートフォン等の携帯通信端末機器を収容することによって当該携帯通信端末機器の破損等を防止したり、当該携帯通信端末機器の外観に特徴を持たせたりするためのケース（以下、「携帯通信端末機器ケース」ともいう。）が広く使用されている。このような携帯通信端末機器ケースに関し、各種の発明がなされてきた（例えば、特許文献１、２参照）。【０００３】
特許文献１には、携帯通信端末機器ケースにおいて、該ケースの裏面に支持具を設けた技術が開示されている。この特許文献１に係る技術によれば、携帯通信端末機器でのオンラインビデオ通話時等にケースに備わった支持具（持ち手）を握って自身を撮影することが容易になる等の効果がある。【０００４】
ところで、携帯通信端末機器に備わったカメラ機能を利用して撮影を行う場合、当該携帯通信端末機器を縦向きにしたり、横向きにしたり、または所定角度だけ傾けたりと、必要に応じて携帯通信端末機器の向きを変更可能であることが望ましい。しかしながら、上記従来技術では、携帯通信端末機器の向きを所望の位置に変更可能にするための構造については考慮されていなかった。【０００５】
このような要望に対して特許文献２には、携帯通信端末の後面を覆うケース本体と、前記ケース本体の後壁部に一体に設けられた伸縮可能な支持部材とを有する携帯通信端末用ケースが開示されている。そして、前記支持部材は、軸部を介して回動可能に取り付けられているとともに、ケース本体の前後方向に屈曲させることが可能なヒンジ部を備えている。この特許文献２に係る技術によれば、自分撮りする際に支持部材を伸ばし、携帯通信端末を縦向きや横向きに変えることや所定角度に傾けることができるため、携帯通信端末を自分自身から十分に離れた位置に支持し、撮影者と背景を所望の構図で撮影できる等の効果がある。
【先行技術文献】
【特許文献】
【０００６】
【特許文献１】特開２０１７−２０８８５７号公報
【特許文献２】国際公開第２０１７／０１４２２７号公報
【発明の概要】
【発明が解決しようとする課題】
【０００７】
しかしながら、上記特許文献２の支持部材は、５つの連結材を互いに突出・収容可能に連結することにより全体が５段階に伸縮可能に構成されているため、構造が複雑になりコストが高くなり、各連結材をいくら軽量化しても伸ばして使用する際の強度を確保するためには限界があり、厚みも重量も大きくなってしまう。しかもヒンジ部まで収容する構造のため、より厚みが増してしまう。これではポケット等に収容して持ち歩くための携行性が著しく損なわれる。また、公共の場所では、安全面から連結材を伸ばして使用することが制限される場合が多い。【０００８】
一方、特許文献２の課題は、自分撮りする際にその都度、自撮り棒をスマートフォンに着脱する手間をなくすることにあるため、十分に長くできる支持部材を必要としている。しかし、スマートフォンは本来、自分撮りするための機器ではなく、通常、電話機能やメール機能、ネット検索機能が優先されるべきであるから、特許文献２の支持部材では使用頻度のバランスが悪く、携帯通信端末を手に持って文字入力したり、通話したり、あるいは机に立てて動画通話や動画鑑賞したりする際には、前記支持部材は却って邪魔になってしまう。【０００９】
さらに、特許文献２では、伸縮機構を備えた支持部材をケース本体の背面から飛び出ないように収容するために、回転軸部をケース本体の背面中央位置に設けている。しかしこれでは、ポケットなどに収容する際に邪魔であるし、ワイヤレス充電器を利用して携帯通信端末の略中央位置に内蔵されている充電池に充電する際にも邪魔になってしまう。また、スマートフォンのロゴマークやケースデザインが隠れてしまうため、デザインの良さやデザイン性が失われるという問題も生じる。【００１０】
ところで、近年、スマートフォンの使用頻度や使用時間が長くなっており、タッチパネルで操作する際には手首を小指側に捻って親指で操作するため、当該手首や親指が疲労して痛くなったり、さらに悪化すると腱鞘炎や指が変形してしまうという問題が指摘されている。しかし、現時点で前述のような手首や親指にかかる負担を軽減し、スマートフォンの操作時にまつわる疾患を予防・改善することを目的としたスマートフォンケースは存在していない。さらに、近年、スマートフォンを携行する女性は、手鏡ではなく、自撮り画面を鏡のように利用しながらお化粧をする場合があるが、横幅の広いスマートフォンを持つとその手で化粧道具を持つことが難しいという問題がある。このような問題を解決したスマートフォンケースも存在しない。【００１１】
本発明は、上記の点に鑑みてなされたものであり、伸縮機構を採用せずに簡易な構造により携帯通信端末機器の向きを所望の位置に変更可能であって確実に保持しつつ通話や自分撮り、動画撮影も楽にできる、また、タッチパネル操作の際に手首や親指にかかる負担を軽減してスマートフォンの使用時に危惧されている健康障害を予防・改善することができる、さらに機器ケースのデザイン化の可能性を広げて差別化することができる、自撮り画面を鏡のように利用してお化粧する場合の利便性を高めることができる、携帯通信端末機器ケースを提供することを目的とする。
【課題を解決するための手段】
【００１２】
本発明に係る携帯通信端末機器ケースは、片手で保持し易くして通話や文字入力における指や手首への負担を軽減し、伸縮機構を採用せずに軽量かつ安全に自分撮りするのに必要な長さを確保するとともに、どのアングルからの構えでもシャッターボタンを容易に押せる、さらに自撮り画面を鏡のように利用してお化粧する場合の利便性を高めるという課題を解決するために、略矩形状筐体の前面に表示画面が配置されているとともに背面の長手方向における一端側短辺近傍にカメラレンズが配置されている携帯通信端末機器に装着される携帯通信端末機器ケースであって、前記携帯通信端末機器の背面に装着されるケース本体と、前記ケース本体の外面に設けられて使用者が片手の手の平により包持可能な持ち手形状に構成されている支持部とを有し、前記支持部は、前記ケース本体の外面に対して垂直な軸周りに当該支持部を所定の角度毎に回転可能とする第一の回転部と、前記第一の回転部と一体的に構成され、前記持ち手形状の一部を構成する第一の板片部と、前記第一の板片部の一端において前記ケース本体の外面に対して平行な軸周りに所定の角度毎に回転可能とする第二の回転部と、前記第二の回転部を介して前記第一の板片部の一端に連結される第二の板片部と、を有し、前記第一の回転部の回転軸中心は、前記カメラレンズが配置されていない長手方向の他端側短辺に近接し、かつ当該短辺の中央位置より隅角方向のいずれかに片寄って配置されている。【００１３】
本発明に係る携帯通信端末機器ケースは、伸縮機構を採用せずに支持部の長さを最大限に確保し、かつ前記支持部を携帯通信端末機器の画面側に実用的な範囲内で折り曲げられるという課題を解決するために、第一の回転部を回転させて、第二の回転部の回転軸がケース本体の長辺または短辺と平行となる位置にした場合、前記第二の回転部の回転軸は、ケース本体の長辺または短辺のそれぞれとほぼ重なる位置に配置されている。【００１４】
本発明に係る携帯通信端末機器ケースは、上記課題を解決するために、第一の回転部の回転軸中心は、ケース本体の長手方向の他端側短辺を五等分した場合において、この短辺のいずれかの隅角から五分の二の範囲内に配置されている。【００１５】
本発明に係る携帯通信端末機器ケースは、伸縮機構を採用せずに支持部の長さを最大限に確保するとともに配置のデザインの美観を効果的に表すという課題を解決するために、第一の回転部の回転軸中心は、ケース本体の長手方向の他端側短辺を５：８に分けた場合の境界位置に配置されている。【００１６】
本発明に係る携帯通信端末機器ケースは、カメラレンズの位置に応じて支持部の長さを最大限に確保するという課題を解決するために、カメラレンズが長手方向の一端側短辺においていずれかの隅角方向に片寄って配置されている場合、第一の回転部の回転軸中心は、カメラレンズの配置されている隅角と対角位置にある隅角方向に片寄って配置されている。【００１７】
本発明に係る携帯通信端末機器ケースは、機能性に加えてケース本体と支持部とのデザインの連動性を効果的に表現するという課題を解決するために、支持部は、装飾部材を取り付けるための装飾取付部を有する。【００１８】
本発明に係る携帯通信端末機器ケースは、装飾部材を簡単かつ確実に支持部の全体に被せてデザイン性を高めるとともに、前記装飾部材の交換を容易に行えるようにするという課題を解決するために、装飾取付部は、第一の回転部の上面に配置されているとともに、前記第一の回転部側に向けて突出された複数の取付爪を備えており、これらの取付爪に伸縮自在な素材からなる装飾部材が係止されている。【００１９】
本発明に係る携帯通信端末機器ケースは、片手で保持し易くして通話や文字入力における指や手首への負担を軽減し、伸縮機構を採用せずに軽量かつ安全に自分撮りするのに必要な長さを確保するとともに、どのアングルの構えでもシャッターボタンを容易に押せる、さらに自撮り画面を鏡のように利用してお化粧する場合の利便性を高めるという課題を解決するために、略矩形状筐体の前面に表示画面が配置されているとともに背面の長手方向における一端側短辺近傍にカメラレンズが配置されている携帯通信端末機器に装着される携帯通信端末機器ケースであって、前記携帯通信端末機器の背面に装着されるケース本体と、前記ケース本体の外面に設けられて使用者が片手の手の平により包持可能な持ち手形状に構成されている支持部とを有し、前記支持部は、前記ケース本体の外面に固定される固定板と、前記固定板に連結される支持板と、前記固定板と前記支持板とを連結する連結体と、を有し、前記連結体は、前記固定板の上面に設けられた連結穴に、前記支持板の端部に設けられた略球状の連結端を摺動自在に嵌合して構成されているとともに、前記カメラレンズが配置されていない長手方向の他端側短辺に近接し、かつ当該短辺の中央位置より隅角方向のいずれかに片寄って配置されている。
【発明の効果】
【００２０】
本発明に係る携帯通信端末機器ケースによれば、伸縮機構を採用せずに簡易な構造により携帯通信端末機器の向きを所望の位置に変更可能であって確実に保持しつつ通話や自分撮り、動画撮影も楽にできる。また、タッチパネル操作の際に手首や親指にかかる負担を軽減してスマートフォンを使用する際に危惧されている健康障害を予防・改善することができる。さらに機器ケースのデザイン化の可能性を広げて差別化することができる。さらにまた自撮り画面を鏡のように利用してお化粧する場合の利便性を高めることができる。
【図面の簡単な説明】
【００２１】
【図１】本発明に係る携帯通信端末機器ケースの第一実施形態を示す図。
【図２】第一実施形態の第一の使用例を示す図。
【図３】第一実施形態の第二の使用例を示す図。
【図４】第一実施形態の第四の使用例を示す図。
【図５】第一の回転部の回転軸中心の位置（隅角方向に片寄り）を示す図。
【図６】第一の回転部の回転軸中心の位置（隅角から２／５範囲）を示す図。
【図７】第一の回転部の回転軸中心の位置（隅角から１／３範囲）を示す図。
【図８】第一の回転部の回転軸中心の位置（５：８の境界位置）を示す図。
【図９】第一実施形態の支持部を片手で保持しつつ親指で操作する場合の可動域の広さを示す図であって（ａ）（ｂ）はそれぞれ操作前と操作後を示す。
【図１０】第一実施形態の支持部を片手で保持し、通話や右手で入力操作する場合の一例を示す図。
【図１１】第一実施形態の第二の使用例を示す図であって（ａ）（ｂ）はそれぞれ携帯通信端末機器を横向きに置いて傾斜角度を変化させた例を示す。
【図１２】第一実施形態の第二の使用例を示す図であって（ａ）（ｂ）はそれぞれ携帯通信端末機器を縦向きに置いて傾斜角度を変化させた例を示す。
【図１３】第一実施形態の第三の使用例を示す図であって（ａ）は正面図、（ｂ）は側面図。
【図１４】第一実施形態の第四の使用例を示す図であって（ａ）（ｂ）はケース本体のデザインと支持部のデザインの関連性および連動性を示す。
【図１５】本発明に係る携帯通信端末機器ケースの第二実施形態を示す図。
【図１６】第二実施形態における主として第一の回転部および第二の回転部の組み立て図。
【図１７】第二実施形態における装飾取付部の一例を示す図。
【図１８】第二実施形態における装飾取付部に装飾部材を取り付けた一例を示す図。
【図１９】本発明に係る携帯通信端末機器ケースの第三実施形態を示す図。
【図２０】第三実施形態における支持部の構成を示す図。
【発明を実施するための形態】
【００２２】
以下、本発明の実施形態について説明する。
【００２３】
［携帯通信端末機器ケースの構成例］
図１から図４は、本第一実施形態に係る携帯通信端末機器ケースの構成例を示す図である。
【００２４】
図１に示す携帯通信端末機器ケース１ａは、スマートフォン等の携帯通信端末機器２の背面に装着されるケース本体３と、ケース本体３の外面上において隅角近辺に固着される支持部４とから構成される。ケース本体３は、携帯通信端末機器２の形状・大きさに合わせて略矩形状に形成されたプラスチック製等の既知のケースであるため、ここでは説明を省略する。
【００２５】
支持部４は、固着部５、第一の回転部６、第一の板片部７、第二の回転部８、第二の板片部９、装飾取付部１０等を有する構成である。前記支持部４は、使用者が片手の手の平により包持可能な持ち手形状に構成される。この支持部４は、ケース本体３の外面上の四隅のうちの一隅の近辺に固着されるが、取付け態様や取付け位置については限定されるものではない。例えば、支持部４は取り外し可能なものであっても良いし、支持部４が固着される位置は、図１に例示する位置以外の位置であってもよい。但し、後述するように、実用的およびデザイン的な作用・効果に鑑みて、携帯通信端末機器のカメラレンズが配置されている一端側短辺とは反対側の他端側短辺における隅角近傍に配置されることが好ましい。
【００２６】
固着部５は、当該支持部４をケース本体３の外面に固着する部分である。例えば両面が貼着面である両面テープ等である。特に固着部５の両面が貼着面である場合、一方の面はケース本体３に貼着され、他方の面は後述する第一の回転部６の歯車部分６ａの裏面に貼着される。
【００２７】
第一の回転部６は、ケース本体３の外面に対して固着部５を介して固着される歯車部分６ａと、歯車部分６ａが備える複数の歯底のうちの一つに係止する突起形状の係止部分６ｂとから構成される。歯車部分６ａは例えば樹脂製の平ギヤであり、後述する第一の板片部７に嵌め込まれる。係止部分６ｂは、例えば細ビス等の先端部分であり、後述する第一の板片部７の内部に埋め込まれる。なお、歯車部分６ａの中心軸であってケース本体３の外面に対して垂直方向に伸びる軸を図１において軸Ｘで示しており、回転軸中心にあたる。これにより、支持部４を軸Ｘ周りに回転させた場合に、係止部分６ｂが隣接する歯底毎に係止することに伴い、第一の回転部６は隣り合う歯底間の角度（例えば２０度）毎に回転することが可能となる。
【００２８】
第一の板片部７は、図中の奥行方向の長さ、すなわち厚みが約５〜７ｍｍ程度であり、図中の縦方向の長さが３ｃｍ〜４ｃｍ程度であり、図中の幅方向の長さが約２ｃｍ程度の正面視略平板状の縦長の薄板片である。この第一の板片部７は、支持部４の持ち手形状の一部を構成する。この第一の板片部７の一端側には、前述の歯車部分６ａが内部に嵌め込まれるための円柱状の穴部が形成される。すなわち、第一の板片部７は、歯車部分６ａ（第一の回転部６）と一体的に構成される。この第一の板片部７の他端側は、後述する第二の回転部８を介して第二の板片部９と連結される。なお、この第一の板片部７の形状は、正面視略平板状の薄板に限定されるものではなく、例えば厚板であってもよいし、円柱状の棒状体であってもよい。
【００２９】
第二の回転部８は、第一の板片部７と第二の板片部９との間に設けられ、第二の板片部９が軸Ｙ周りに図中の手前方向に所定の角度（例えば２０度）毎に回転することが可能な機構である。この第二の回転部８は、第一の板片部７と第二の板片部９との間に設けられ、軸Ｙ周りに回転可能な蝶番部分８ａと、第二の板片部９の一端側の両側部に嵌込される歯車形状のラック部分８ｂと、ラック部分８ｂの内側においてラック部分８ｂが備える複数の歯底のうちの一つに係止する突起形状の係止部分８ｃを備え各歯先面を摺動する直方体状の摺動部材８ｄと、一端側が摺動部材８ｄに接続され、他端側が第一の板片部７の端部側に固定して取付けられる、例えば金属片等の弾性部材により形成される接続部材８ｅと、から構成される。これにより、第二の回転部８を軸Ｙ周りに回転させた場合に、係止部分８ｃが隣接する歯底毎に係止することに伴い、第二の回転部８は第一の板片部７の一端面周りに所定の角度（例えば２０度）毎に回転することとなる。
【００３０】
第二の板片部９は図中の奥行方向の長さ、すなわち厚みが約５〜７ｍｍ程度であり、図中の縦方向の長さが８ｃｍ〜９ｃｍ程度であり、図中の幅方向の長さが約２ｃｍ程度の正面視平板状の縦長の薄板片である。この第二の板片部９は、第一の板片部７よりも縦方向に長く、支持部４の持ち手形状の残りの他部を構成する。この第二の板片部９の一端側の幅方向両側には、前述のラック部分８ｂや摺動部材８ｄが嵌込または配設される。なお、この第二の板片部９の形状は、正面視略平板状の薄板に限定されるものではなく、例えば厚板であってもよいし、円柱状の棒状体であってもよい。また使用者の把持のし易さを考慮して、図中の下端に向かって幅広となる形状であってもよい。更には、第二の板片部９において、外部から開閉可能な開閉部を設けることによって、当該第二の板片部９の内部に例えば常備薬・化粧品等を収納可能に構成してもよい。また、第二の板片部９において笛等の音発生器具を設けることによって、災害時や犯罪時等に防災道具として使用可能に構成しても良い。なお、第二の板片部９は伸縮する機構を備えることを排除するものではないが、伸縮機構を備えることにより、構造が複雑になり、コストや重量も増大することや伸ばして保持した際の重量バランスや強度の問題等を考慮すると、本第一実施形態に示すように伸縮構造を備えないことが好ましい。
【００３１】
装飾取付部１０は、図４に示すように、第一の回転部６の上面に設けられ、所定の装飾部材１１を取り付け可能な部材である。例えば、マジックテープ（登録商標）、または凹側のスナップボタン、着脱可能な粘着テープの他、後述するような引っ掛けられる取付爪１０ａが挙げられる。装飾取付部１０が凹側のスナップボタンである場合、装飾部材１１に取り付けられた凸側のスナップボタンが当該凹側のスナップボタンに嵌め込まれて取り付けられる。なお、この装飾取付部１０の取り付け位置は、第一の回転部６の上面に限定されるものではなく、例えば第二の板片部９等その他の位置であっても良い。
【００３２】
ここで、本発明に係る携帯通信端末機器ケース１の支持部４の取り付け位置について詳細に説明する。図５に示すように、前記支持部４を構成する第一の回転部６の回転軸中心Ｘが、ケース本体３の長手方向においてカメラレンズが配置されない他端部側の短辺に近接し、かつ当該短辺の中央位置より隅角方向のいずれかに片寄って配置されている。このような位置が好適な理由は、以下の通りである。
【００３３】
１．カメラレンズから遠い位置に配することにより、例えば第一の回転部６を回転させて支持部４を下方の縦方向に向ければ、携帯通信端末機器２とほぼ同等の長さになり、伸縮機構を備えなくても片手で包持するのに十分な長さであって、かつ自分撮りのために必要な長さが確保できる。そして、どのアングルの構えでもシャッターボタンを容易に押すことができる。
また、お化粧をする場合に、スマートフォンを自撮り画面にし、支持部４を手鏡のように持ちながら、その手の平や指先でマスカラやリップグロス等の化粧用品を持つことができるため、お化粧する場合の利便性も高くなる。
２．支持部４を収納する際には、一端側短辺に沿って隅角側や中央に配置されているカメラレンズを塞ぐことなく、支持部４をケース本体３の背面にすっきりと収納できる。
３．支持部４を収容する際には、略矩形状のケース本体３の対角線方向に収容することで、前記支持部４の長さを最大限に確保しながらケース本体３からはみ出ない長さを確保することができる。
４．支持部４を下方に伸ばすとともに、第二の回転軸８も隅角近傍（特にケース本体３の長辺または短辺とほぼ重なる位置）に配置することにより、支持部４が画面側にも実用的な傾斜角度に折り曲げられるため、いわゆるガラケーを持つようにして握ることができる。よって、重量のバランス効果によって携帯通信端末機器２の重みが分散されるとともに、肘を持ち上げずに脇につけた状態で通話ができるため、保持する指や手首にかかる負担が軽減されて疲れにくいという効果が得られる。なお、前記支持部４が画面側に折り曲げられる程度は、前記第二の回転軸８が長辺または短辺からどの程度離れた位置に配置するかによって任意に設定できるが、長辺または短辺とほぼ重なる位置に配置した場合には、約３０度まで折り曲げることが可能である。
５．さらに、第一の回転軸６および第二の回転軸８を隅角近傍に配置することによって、後述する第三の使用例である図１３（ａ）（ｂ）に示すように、支持部４をケース本体３の背面側に折り曲げて人差し指と中指の間に挟んで包持し、ケース本体３と支持部４に手をまたがらせて握りこむことができる。このような保持の仕方は、携帯通信端末機器２を安定して保持することができるし、親指の可動範囲を大きく確保することができるため、極めて操作がしやすく疲れにくい。
６．スマートフォンの種類によっては背面中央にロゴマークが付されているところ、これを隠さずに見せられるため、ロゴを見せたいメーカーやユーザにとって好ましい。
７．ケース本体３の背面のデザイン領域を広く確保することができるためデザインの選択肢が広がる。また、後述するように、支持部４も装飾手段の一つに加えることによって動物の尻尾に見立てたり、楽器、お弁当、脚等、ケース本体３のデザインとの関連性や連動性のあるデザインを表現することができるため、使用者の趣味嗜好に合わせて多様なデザインを提供することができる（図４、図１６参照）。
８．充電の際に便利である。つまり、充電の際には、第一の回転軸６を回転させてケース本体３の背面中央位置から支持部４をなくすことができるため、充電の度に取り外す必要がなく利便性が高い。特に、ワイヤレスチャージャーを使用することができる。
９．通常、発熱効果の高いＣＰＵは、携帯通信端末機器２の中央部から上部に配置されているため、支持部４の回転軸中心Ｘを下方隅角付近に設置することにより放熱を妨げない。
１０．携帯通信端末機器２をポケットに収納したい場合、ケース本体３をポケット内に入れ、支持部４をポケットの外に出して収納できるため、かさばらない。
【００３４】
一方、回転軸中心Ｘが中央位置に近ければ、携帯通信端末機器２を支持する場合の左右の重量バランスが取りやすい。よって、回転軸中心Ｘの位置は、これらの作用・効果を比較考慮して選択される。
【００３５】
より具体的な例として、図６に示すように、第一の回転部６の回転軸中心Ｘが、前記短辺を五等分した場合において、この短辺のいずれかの隅角から五分の二の範囲内に配置されていることが好ましい。また、図７に示すように、前記回転軸中心Ｘが、前記短辺を三等分した場合において、この短辺におけるいずれかの隅角から三分の一の範囲内に配置されていても良い。さらに、図８（ａ）（ｂ）に示すように、前記回転軸中心Ｘが、前記短辺を５：８に分けた場合の境界位置に配置されることがより好ましい。これは黄金比になぞらえており、上述の実用的なメリットに加えて、配置バランスの点から美的効果を高めることが期待できる。
【００３６】
また、回転軸中心Ｘが短辺に近接する程度は、第一の回転部６の構造および上記回転軸中心Ｘの配置箇所による作用効果を発揮しうる範囲内で最も短辺に近い位置が好ましく、少なくとも回転軸中心Ｘがケース本体３の縦方向の長辺を三等分した場合において下方側三分の一の範囲内に配置することが好ましい。
【００３７】
以上に示す構成によれば、以下の各効果を奏することができる。
１．支持部４を使用者が片手の手の平により包持可能である。すなわち、使用者は片手の手の平により支持部４を包む態様で把持することで、携帯通信端末機器２を保持することができるようになる。このことは、図９（ａ）（ｂ）に示すように、保持の安定性を確保しつつ使用者が操作に使う親指の可動域を広げることができる。
２．支持部４を手鏡のように包持することができるため、お化粧をする場合に、スマートフォンを自撮り画面にしつつ前記支持部４と一緒に化粧用品も保持することができる。よって、お化粧をする際の利便性を高めることができる。
３．手首を小指側に捻らずに携帯通信端末機器２であるスマートフォンを保持できるため疲れにくく、指の変形予防にも寄与する。特に近年では、スマートフォンを長時間把持することで手首や親指の痛みが生じる症状が報告されているが、例えば図１０や図１３に示すように、横幅の広いスマートフォンに対して手の平全体を使って持ち手を包持する動作のみによって保持して通話をしたり、肘を浮かせずにスマートフォンを目の高さに保ちながら右手でタッチパネルを操作することができるため、指の変形症、テニス肘（すなわち上腕骨外側上顆炎）やストレートネック等の疾病の改善・予防にも好適である。
４．片手の手の平で確実に保持できるので携帯通信端末機器２を落としにくい。
５．本第一実施形態によれば、支持部４では、第一の回転部６が軸Ｘ周りに所定角度毎に回転可能であるとともに、第二の回転部８が軸Ｙ周りに所定角度毎に回転可能である。これにより、携帯通信端末機器２に備わったカメラ機能を利用して撮影を行う場合等において、当該携帯通信端末機器２を縦向きにしたり、横向きにしたり、又は所定角度だけ傾けたりと、必要に応じて携帯通信端末機器２の向きを変更可能である。
６．支持部４をケース本体３の背面側に折り畳めば、薄いためポケットにも入れやすい。また、携帯通信端末機器２をポケットに収納しつつ装飾した支持部４をポケットから外に出せばデザインの良さをポケットから見せて持ち歩くこともできる。
【００３８】
［携帯通信端末機器ケースの第一の使用例］
図２は、本第一実施形態に係る携帯通信端末機器ケース１ａの第一の使用例を示す図である。なお、以下の説明においては、前述と同様の構成要素については同一の符号を付して、重複する説明を適宜省略する。
【００３９】
図２では、第一の回転部６のみを回転させることで、携帯通信端末機器ケース１ａ並びに携帯通信端末機器２を所定角度だけ傾けた図を示している。図２に例示するように、支持部４が備える第一の回転部６のみを回転させるという簡易な機構により、必要に応じて携帯通信端末機器２の向きを傾けることができる。
【００４０】
［携帯通信端末機器ケースの第二の使用例］
図３は、本実施形態に係る携帯通信端末機器ケース１ａの第二の使用例を示す図である。
【００４１】
図３では、第一の回転部６および第二の回転部８の両方を回転させることで、テーブルＴ上に携帯通信端末機器ケース１ａを傾けて写真立てのように配置した図を示している。これは机に置いて動画通話をしたり、自分撮りの動画撮影に好適である。また、このように携帯通信端末機器２を垂直に立てて動画撮影に役立つ使い方だけでなく、図１１（ａ）（ｂ）に示すように、携帯通信端末機器ケース１ａの傾斜角を任意に変更することができる。よって、使用者の姿勢や使用環境に合わせて画面を見やすい角度に設定することができる。さらに図１２（ａ）（ｂ）に示すように、携帯通信端末機器２を縦に立てるとともに任意の傾斜角に設定することもできる。これらに例示するように、支持部４が備える第一の回転部６および第二の回転部８の両方を回転させるという簡易な機構により、必要に応じて携帯通信端末機器２の向きや傾斜角を変更することができる。
【００４２】
［携帯通信端末機器ケースの第三の使用例］
図１３（ａ）（ｂ）は、本実施形態に係る携帯通信端末機器ケース１ａの第三の使用例を示す図である。
【００４３】
図１３（ａ）（ｂ）に示すように、第一の回転部６および第二の回転部８の両方を回転させることで、支持部４をケース本体３の背面側に折り曲げて人差し指と中指の間に挟んで包持すれば、携帯通信端末機器２を安定して保持しつつ、親指の可動範囲を大きく確保することができるし、操作がしやすいため疲れにくい。
【００４４】
［携帯通信端末機器ケースの第四の使用例］
図４は、本第一実施形態に係る携帯通信端末機器ケース１ａの第四の使用例を示す図である。
【００４５】
図４では、支持部４が備える装飾取付部１０に対して、装飾部材１１の一例である着せ替え衣服１１を取り付けた図を示している。着せ替え衣服１１の背面（不図示）には、装飾取付部１０に取り付けるための取付部材（不図示）が設けられている。装飾取付部１０がマジックテープ（登録商標）のシートの一方である場合には、取付部材は、着せ替え衣服１１の背面に設けられる当該マジックテープ（登録商標）の他方のシートであり、両シートが接着することとなる。また、装飾取付部１０が凹側のスナップボタンである場合、着せ替え衣服１１の背面に取り付けられる取付部材は、凸側のスナップボタンであり、凸側のスナップボタンが凹側のスナップボタンに嵌め込まれて取り付けられる。
【００４６】
また、ケース本体３の外面上にはイラスト化された人物の頭部等が装飾されている。これにより、上述した利点に加え、ケース本体３の外面上に装飾された人物の頭部等と、装飾取付部１０に取り付けられる着せ替え衣服１１とにより、全体として統一された装飾性を持たせることができ、すなわち携帯通信端末機器ケース１ａに着せ替え機能を持たせることができ、携帯通信端末機器ケース１ａ用の装飾部材１１という新たな産業上の利用可能性を拡げることができる。また、ケース本体３にはＴシャツやドレス等の上半身衣装を着脱自在なシール等で貼り、支持部４の装飾取付部１０にはスカートやパンツなどの下半身衣装を着脱自在に構成すれば、セパレートに構成された上下の衣服を様々に組み合わせて装飾デザインを楽しむことができる。さらに例えば、図１４（ａ）（ｂ）に示すように、ケース本体３には猫の顔を表現するとともに、支持部４には猫の手を表現することにより、目を隠したり表したりできる連動性のあるデザインを表現することも可能である。なお、装飾部材１１は、着せ替え衣服１１に限定されるものではなく、例えば花束、動物や人の脚等、その他の装飾性を有する題材であってもよい。
【００４７】
次に、本発明に係る携帯通信端末機器ケースの第二の実施形態について説明する。なお、本第二実施形態の構成のうち前述した第一実施形態と同一ないし同等の構成は同一の符号を付し、再度の説明を省略する。
【００４８】
本第二実施形態の携帯通信端末機器ケース１ｂの特徴は、前述した第一実施形態の構成のうち、第一の回転部６および第２の回転部８を他の構成にした点にある。図１５の全体構成図および図１６の組み立て図に示すように、本第二実施形態における第一の回転部６は、ケース本体３の外面に対して固定部１２を介して固定される歯車部分６ａと、歯車部分６ａが備える複数の歯底のうちの一つに係止する球状の係止部分６ｂと、この係止部分６ｂを歯底に押圧する小バネ６ｃと、このバネを端部から押し込んで付勢力を付与するビス６ｄと、このビス６ｄを螺合させて付勢力を保持するナット６ｅとから構成される。歯車部分６ａは平ギヤであり、第一の板片部７に嵌め込まれて固定ネジ１３で固定される。また、球状の係止部分６ｂ、小バネ６ｃ、ビス６ｄは、第一の板片部７の側面に設けられた挿通孔から挿入されるとともに、第一の板片部７の上面穴から挿入されるナット６ｅに前記ビス６ｄを螺合させることにより固定される。第一実施形態と同様、歯車部分６ａの中心軸が回転軸中心Ｘに相当する。これにより、支持部４を軸Ｘ周りに回転させた場合に、係止部分６ｂが隣接する歯底毎に係止し、第一の回転部６は隣り合う歯底間の角度毎に回転することが可能となる。
【００４９】
本第二実施形態における第二の回転部８は、回転軸Ｙに対して任意の位置で止められるフリーストップ機能を備えたトルクヒンジ８１を採用している。このトルクヒンジ８１を採用することにより簡易な構造によって第二の板片部９を任意の角度で保持することが可能となる。トルクヒンジ８１が備える一対の接続部材８１ｅには、それぞれ第一の板片部７および第二の板片部９が４つのリベット１４等の固定手段によって固定されている。なお、第一の板片部７は、先端側が円弧状に形成された正面視略平板状の薄板片に形成されており、第二の板片部９は正面視平板状の縦長薄板片に形成されているが、第一実施形態と同様、これらの形状に限定されるものではない。
【００５０】
また、本第二実施形態における第二の回転部８の位置は、第一の回転部８を回転させて、前記第二の回転部８の回転軸Yがケース本体３の長辺または短辺と平行となる位置にした場合に、前記第二の回転部８の回転軸Yは、ケース本体３の長辺または短辺のそれぞれとほぼ重なる位置に配置されている。これにより支持部４を携帯通信端末機器２の画面側にも約３０度折り曲げることができ、ガラケーを持つようにバランス良く保持することができるし、自分撮りする際にも傾斜角度を広範囲に確保することができる。
【００５１】
図１７および図１８には、本第二実施形態における装飾取付部１０の一構成例を示す。装飾取付部１０は、第一の板片部７の形状に合わせて先端側が円弧状に形成された正面視略平板状の薄板片で構成されている。また、装飾取付部１０の外縁に沿って複数の取付爪１０ａが形成されており、これらの取付爪１０ａは、前記装飾取付部１０が第一の回転部６ないし第一の板片部７の上面に配置された際に、第一の回転部６側に突出するように折り曲げられている。これらの取付爪１０ａには、ニット生地等の伸縮自在な素材で構成された装飾部材１１が取り付けられる。すなわち、図１８に示すように、装飾部材１１として、ニット素材により靴下のような細長い筒状の装飾部材１１を用意し、これを第二の板片部９の後端側から被せて装飾取付部１０まで伸ばし、前記各取付爪１０ａに引っ掛けて固定する。このとき図１８に示すように、第一の板片部７までをすっぽり隠すことができるため、見た目にもすっきりして美的効果が高められる。
【００５２】
以上のような本第二実施形態によれば、前述した第一実施形態の作用効果に加えて、薄くて簡易な構成によって第一の回転部６および第二の回転部８を構成することができる。また、第二実施形態の装飾取付部１０によれば、簡易な構造で支持部４の全体を隠して装飾することが可能となる。しかも金型などを必要とせず、装飾部材１１を季節や使用者の嗜好に応じて簡単に交換することができるし、ケース本体３のデザインに合わせて様々なバリエーションのデザインを楽しむことができる。
【００５３】
次に、本発明に係る携帯通信端末機器ケースの第三実施形態について図１９および図２０を用いて説明する。なお、本第三実施形態の構成のうち前述した第一実施形態および第二実施形態と同一ないし同等の構成は同一の符号を付し、再度の説明を省略する。
【００５４】
本第三実施形態の携帯通信端末機器ケース１ｃの特徴は、支持部４の構成について、第一の回転部４および第二の回転部６に代えて、略球状の連結体１７を採用した点にある。具体的には、図１９および図２０に示すように、支持部４は、ケース本体３の外面に固定される固定板１５と、この固定板１５に連結される支持板１６と、これら固定板１５と支持板１６とを連結する連結体１７とを有している。
【００５５】
前記固定板１５は、ケース本体３の外面に固着されており、この固着手段は限定されないが、本第三実施形態では両面に接着剤が塗布された接着紙１８により固定されている。前記固定板１５は円盤状に形成されているが、この形状に限定されるものではない。また、固定板１５の外周縁には歯車状の凹凸が形成されており、前述した装飾取付部１０の取付爪１０ａのような機能を果たして装飾部材１１を着脱自在に取り付けられるように構成されている。
【００５６】
連結体１７は、固定板１５と支持板１６とを連結する構造であり、固定板１５の上面に配置された連結穴１７ａに、支持板１６の端部に設けられた略球状の連結端１７ｂを摺動自在に嵌合して構成されている。連結穴１７ａの形状は連結端１７ｂを様々な角度に摺動自在に保持できればどのような形状であってもよく、例えば連結穴１７ａの内壁面全体で摺動させる構造でもよいし、開口部分を狭く形成して連結端１７ｂを摺動可能に狭持する構成でもよい。このような構成により、支持板１６をあらゆる方向に向けて保持できる。
【００５７】
支持板１６は、使用者が片手の手の平で包持可能な縦長の平板状に形成されており、その先端に連結端１７ｂを有することにより、この連結端１７ｂを介して固定板１５に連結されている。前記支持板１６の形状は第一実施形態および第二実施形態と同様、縦長平板状のものに限定するものではなく、棒状など、片手の手の平で包持可能な様々な形状を採用することができる。
【００５８】
本第三実施形態における支持板１６の位置は、図１９に示すように、第一実施形態および第二実施形態と同様、カメラレンズが配置されている一端側短辺と反対側の他端側短辺に近接し、かつ当該短辺の中央位置より隅各方向のいずれかに片寄って配置されている。このとき連結端１７ｂの中心Ｚが、第一実施形態および第二実施形態における第一の回転部６の回転軸中心Ｘに相当する。よって、本第三実施形態では、連結端中心Ｚが、図５乃至図８に示すように、他端側短辺の隅角方向に片寄って配置されるようになっている。
【００５９】
以上のような第三実施形態によれば、前述した第一実施形態および第二実施形態の作用効果に加えて、より簡易な構成かつ安価なコストによって支持部４をあらゆる方向に変えて支持することができる。
【００６０】
以上、本発明の各実施形態について説明したが、上記各実施形態は本発明の適用例の一つを示したものであり、本発明の技術的範囲を上記実施形態の具体的構成に限定する趣旨ではない。例えば、上記説明においては、第一の回転部６及び第二の回転部８の回転機構が各図に示す例である場合を説明してきたが、これらに示す回転機構に限定されるものではない。他の機構による回転機構であっても良い。
【符号の説明】
【００６１】
１  携帯通信端末機器ケース
２  携帯通信端末機器
３  ケース本体
４  支持部
５  固着部
６  第一の回転部
７  第一の板片部
８  第二の回転部
９  第二の板片部
１０  装飾取付部
１０ａ  取付爪
１１  装飾部材
１５  固定板
１６  支持板
１７  連結体
１７ａ  連結穴
１７ｂ  連結端
８１  トルクヒンジ
Ｘ  第一の回転部の回転軸中心
Ｙ  第二の回転部の回転軸中心
Ｚ  連結端の中心
【要約】
【課題】  伸縮機構を採用せずに簡易な構造により携帯通信端末の向きを任意に変更できて確実に保持しつつ通話や自分撮り、動画撮影も楽にでき、タッチパネル操作の際に手首や親指の負担を軽減し、機器ケースのデザイン化の可能性を広げ、自撮り画面を利用して化粧する場合の利便性を高められる携帯通信端末機器ケースを提供する。
【解決手段】  携帯通信端末機器ケース１は、ケース本体３と、支持部４とを有し、支持部４は、ケース本体３の外面に垂直な軸周りに支持部４を回転可能とする第一の回転部６と、第一の回転部６と一体的に構成される第一の板片部７と、ケース本体３の外面に平行な軸周りに回転可能とする第二の回転部８と、第一の板片部７の一端に連結される第二の板片部９と、を有し、第一の回転部６の回転軸中心は、カメラレンズが配置されていない長手方向の他端側短辺に近接し、かつ短辺の中央位置より隅角方向のいずれかに片寄って配置されている。【図１】
0006664735.tif 000002
【図２】
0006664735.tif 000003
【図３】
0006664735.tif 000004
【図４】
0006664735.tif 000005
【図５】
0006664735.tif 000006
【図６】
0006664735.tif 000007
【図７】
0006664735.tif 000008
【図８】
0006664735.tif 000009
【図９】
0006664735.tif 000010
【図１０】
0006664735.tif 000011
【図１１】
0006664735.tif 000012
【図１２】
0006664735.tif 000013
【図１３】
0006664735.tif 000014
【図１４】
0006664735.tif 000015
【図１５】
0006664735.tif 000016
【図１６】
0006664735.tif 000017
【図１７】
0006664735.tif 000018
【図１８】
0006664735.tif 000019
【図１９】
0006664735.tif 000020
【図２０】
0006664735.tif 000021